(57)【特許請求の範囲】
【請求項１】
入金された紙幣の金種等を判別し、その判別結果に基づいて２つの環流式収納部又は回収カセットに分類収納し、必要時に前記２つの環流式収納部から紙幣を繰出して出金する紙幣入出金装置において、
千円紙幣を収納繰出しする第１環流式収納部と、
２千円紙幣および５千円紙幣を収納繰出しする第２環流式収納部と、
前記各環流式収納部から回収紙幣および入金識別時に出金に万円紙幣と判別された紙幣を収納する前記回収カセットと、
前記第１、第２環流式収納部へ収納された紙幣の金種と収納位置とを対応させて記憶する第１記憶手段と、
出金時に前記第１記憶手段の記憶内容を参照して出金金額に対応する出金可能なすべての出金紙幣の組合せを抽出する出金組合せ抽出手段と、
この抽出手段により抽出された各組合せで出金するとき前記第１および第２環流式収納部から繰出される紙幣の繰出し合計枚数を算出する繰出し合計枚数計数手段と、
前記出金組合せ抽出手段により抽出された各組合せを繰出し枚数の少ない組合せから順位を付ける組合せ順位決定手段と、
前記抽出された組合せ毎に少なくとも各組合せに含まれる紙幣の枚数を金種別に記憶する第２記憶手段と、
前記組合せ順位決定手段により決定された順位の最上位の組合せから前記第２記憶手段に記憶されている各金種毎の紙幣枚数と予め出金に適当するよう設定された各金種毎の出金限度枚数とを比較し、すべての金種について前記出金限度枚数以内であれば当該組合せを出金組合せとして選定する出金組合せ選定手段と
を具備することを特徴とする紙幣入出金装置。
【請求項２】
前記組合せ順位決定手段は、前記繰出し合計枚数の同じ組合せが複数存在するときには実際に出金される紙幣の合計枚数が少ない方の組合せを上位と決定するようになされている請求項１に記載の紙幣入出金装置。
【請求項３】
前記出金組合せ選定手段は、前記出金組合せ抽出手段により抽出された組合せ中にすべての金種について前記出金限度枚数以内である組合せが存在しないときには前記繰出し合計枚数の最も少ない組合せを選定するようになされている請求項１または２に記載の紙幣入出金装置。
【発明の詳細な説明】
【０００１】
【発明の属する技術分野】
本発明は、スーパーマーケットやコンビニエンスストアなどの精算所においてＰＯＳレジスタ等に接続して使用され、特に紙幣の入金および紙幣による釣銭の出金に使用して最適な紙幣入出金方法およびその装置に関する。
【０００２】
【従来の技術】
スーパーマーケットやコンビニエンスストアなどの精算所においては、ＰＯＳレジスタ等に接続して当該レジスタ等での登録データを用いて釣銭の自動払い出しをはじめ、紙幣および硬貨の入出金処理を機械により自動的に行えるようにした貨幣処理装置が導入されている。
【０００３】
なかでも紙幣を取扱う紙幣処理装置としては例えば特開平６−２６６９２６号公報に示されるものが知られている。
【０００４】
上記公報に記載の装置は、図７に略示断面図を示すように、釣銭として使用可能な千円紙幣と５千円紙幣を収納・繰出しができる２つの環流スタッカａ，ｂと、釣銭として使用することのない万円紙幣およびリジェクト紙幣を一緒に収納する回収カセットｃとを備え、入金口ｄから投入された入金紙幣は入金鑑別部ｅで金種を判別された後、釣銭として使用可能な千円紙幣、５千円紙幣は金種別に各環流スタッカａ，ｂに振り分けられて収納され、釣銭として使用することがない万円紙幣および出金リジェクト紙幣は回収カセットｃへ収納するようになされている。
【０００５】
上記のような紙幣入出金装置で釣銭を出金する場合には、一般に釣銭に含まれる紙幣の枚数が最少となる組合せにより出金するようにしている。例えば釣銭額が５千円の場合は、まず５千円用の環流スタッカに５千円紙幣があるか否かがチェックされ、５千円紙幣がある場合は１枚の５千円紙幣が繰出されて出金され、５千円紙幣がない場合には千円用の環流スタッカに収納されている千円紙幣を５枚繰出して出金するようになされる。
【０００６】
【発明が解決しようとする課題】
一方、我が国においては２千円紙幣が発行されることになり、前述のような従来の紙幣入出金装置においては釣銭として千円、２千円、５千円の３金種の紙幣を取り扱うことが必要となる。
【０００７】
これに対応するためには、２千円紙幣用の環流スタッカを１個増設するとともに制御プログラムを変更することにより対応することは可能であるが、これによると装置の大型化を招き、市場のニーズに応えられないうえコストアップに繋がるという大きな問題点をもたらすことになる。
【０００８】
そこで従来の装置のまま、すなわち二つの環流スタッカにより対応しようとすると効率的な出金ができないという問題がある。すなわち二つの環流スタッカのうち、その一つには２金種の紙幣（例えば２千円紙幣と５千円紙幣）を混合収納することになるので、前述の出金方法によると２金種混合収納の環流スタッカから出金する際に出金該当金種の紙幣が直ぐに出金し得ない状態におかれている場合（例えば５千円紙幣を出金したいのに５千円紙幣の上に多数枚の２千円紙幣が収納されている場合など）には、多数枚の出金該当金種以外の紙幣を回収するか、あるいは別の場所に一旦待避させておかなければならないことになり、その結果装置内の紙幣の有効利用や迅速な出金処理ができないことになる。
【０００９】
また、２千円紙幣の発行に伴い、釣銭を構成する紙幣の組合せが大幅に増えるのにも拘らず前述の従来の出金方法では釣銭を受取る顧客の立場を十分配慮した釣銭紙幣の構成にすることができない場合が多くなる可能性（例えば多数枚の千円紙幣で釣銭を出金してしまうなど）がある。
【００１０】
本発明は上記従来の技術による問題点に着目し、これを改善することを課題としてなされたもので、装置の大型化を招くことなく多金種の紙幣を取り扱うことができ、装置内の紙幣の有効利用を図るとともに迅速な出金処理を可能とし、加えて顧客の立場を十分配慮した釣銭構成での出金を可能とする紙幣入出金方法およびその装置を提供することにある。
【００１１】
【課題を解決するための手段】
上記課題を解決する手段として本発明は、入金された紙幣の金種等を判別し、その判別結果に基づいて２つの環流式収納部又は回収カセットに分類収納し、必要時に前記２つの環流式収納部から紙幣を繰出して出金する紙幣入出金装置において、千円紙幣を収納繰出しする第１環流式収納部と、２千円紙幣および５千円紙幣を収納繰出しする第２環流式収納部と、前記各環流式収納部から回収紙幣および入金識別時に出金に万円紙幣と判別された紙幣を収納する前記回収カセットと、前記第１、第２環流式収納部へ収納された紙幣の金種と収納位置とを対応させて記憶する第１記憶手段と、出金時に前記第１記憶手段の記憶内容を参照して出金金額に対応する出金可能なすべての出金紙幣の組合せを抽出する出金組合せ抽出手段と、この抽出手段により抽出された各組合せで出金するとき前記第１および第２環流式収納部から繰出される紙幣の繰出し合計枚数を算出する繰出し合計枚数計数手段と、前記出金組合せ抽出手段により抽出された各組合せを繰出し枚数の少ない組合せから順位を付ける組合せ順位決定手段と、前記抽出された組合せ毎に少なくとも各組合せに含まれる紙幣の枚数を金種別に記憶する第２記憶手段と、前記組合せ順位決定手段により決定された順位の最上位の組合せから前記第２記憶手段に記憶されている各金種毎の紙幣枚数と予め出金に適当するよう設定された各金種毎の出金限度枚数とを比較し、すべての金種について前記出金限度枚数以内であれば当該組合せを出金組合せとして選定する出金組合せ選定手段とを具備することを特徴とする紙幣入出金装置である。
【００１３】
前記組合せ順位決定手段は、前記繰出し合計枚数の同じ組合せが複数存在するときには実際に出金される紙幣の合計枚数が少ない方の組合せを上位と決定するようにする態様、また前記出金組合せ選定手段は、前記出金組合せ抽出手段により抽出された組合せ中にすべての金種について前記出金限度枚数以内である組合せが存在しないときには前記繰出し合計枚数の最も少ない組合せを選定するようにする態様を含む。
【００１４】
【発明の実施の形態】
以下、本発明を図面に示す実施の形態を参照して説明する。
【００１５】
図１は、本発明による紙幣入出金装置１をスーパーマーケット等の精算所に組み入れた状態の外観を示しており、レジ台２の一側に紙幣入出金装置１が、同他側に硬貨入出金装置３が並列配置され、レジ台２の上面にはＰＯＳレジスタ４が配置されている。
【００１６】
前記紙幣入出金装置１は、機体５に対し前面側に引き出し可能とされた処理ユニット６（図２示）を有し、その上部前側に位置して開口する紙幣入金口７と、その直下位置に開口する紙幣出金口８と、テンキータイプの操作部９と、表示部１０とが設けられている。また機体５の前面側には前扉１１の開閉用キーの挿入孔１２が設けられている。
【００１７】
前記硬貨入出金装置３は、その機体の上部側に位置して開口する硬貨入金口１３および硬貨出金口１４を有しており、またＰＯＳレジスタ４は、周知のように操作キー群１５、係員用表示部１６、顧客用表示部１７、顧客から受け取った現金を顧客に見える位置に一時的に置いておく貨幣載置部１８、レシート発行口１９等を有している。
【００１８】
図２は前記紙幣入出金装置１の一実施形態の縦断側面視の概要図を示すもので、前記紙幣入金口７に続いて入金紙幣を水平方向に搬送するベルト２０およびローラ２１，２２（上部のローラは逆転ローラ）からなる搬送路２３が配設され、上記ベルト２０の上部位置には紙幣の上面を押えて浮き上がりを防止するための自重垂下構造の押え板２４が後方に向けて下り傾斜に枢支されている。上記のベルト２０およびローラ２１，２２により繰込み手段を構成している。
【００１９】
前記搬送路２３の後端に続いて入金紙幣の金種、正損等を識別する入金識別部２５を有する識別搬送路２６が側面視コ字形を描くようにベルト２７，２８を掛け廻すことにより形成されており、この識別搬送路２６の末端は処理ユニット６の前後方向中ほどの位置まで折り返されて延び、垂直方向に変換されたベルト２７，２８による垂直搬送路２９に続いている。
【００２０】
上記垂直搬送路２９の上端位置のベルト３０は前記出金口８の近くのプーリー３１に巻回されて折り返され、出金紙幣の投出機構３２の一部を構成している。
【００２１】
上記投出機構３２の直下位置にはリジェクトボックス３３が、さらにその下方位置には紙幣を収納するのみの機能を有する回収カセット３４が配置され、前記垂直搬送路２９を間にして他側（処理ユニット６の奥側）には紙幣の繰出し機能を有する第１、第２の二つの環流式収納部３５，３６が上下に配設されている。
【００２２】
前記垂直搬送路２９の途中部には、前記投出機構３２へ紙幣を分岐搬送するための分岐爪３７、リジェクトボックス３３への分岐爪３８、回収カセット３４への分岐爪３９、上部の第１環流式収納部３５への分岐爪４０がそれぞれ設けられており、回収カセット３４への分岐爪３９と上部の第１環流式収納部３５への分岐爪４０との間の垂直搬送路２９には出金紙幣の金種等を識別する出金識別部４１が配設されている。
【００２３】
前記投出機構３２は、前記ベルト３０の直下位置に受板４２が前後方向中央位置において支持アーム４３の先端に枢支して設けられ、この支持アーム４３の基部は処理ユニット６側に枢支されて図示しないソレノイド等の駆動手段により紙幣投出時に上昇するよう構成されており、この受板４２の前後位置に周面の一部が受板４２の上面から突出するように軸着されたローラ４４，４４と前記ベルト３０の下面との間に紙幣を挟持したとき該ベルト３０の駆動で紙幣が出金口８から投出されるようになっている。
【００２４】
なお図２において符号４５は前記受板４２上へ送入される紙幣の後端をはたき落して受板４２上に紙幣を良好に集積させるための羽根車、４６は受板４２の端部に該受板４２の上面との間に所要の間隔をおいて一体に設けられた規制部で、受板４２の上昇時（紙幣投出時）に処理ユニット６の出金口８に正対する出口を構成し、紙幣の先端が浮き上がることを規制するものである。
【００２５】
前記リジェクトボックス３３は上面が開放されたトレー状のものであり、回収カセット３４は箱状のもので、いずれも前扉１１を開けることにより処理ユニット６外に引き出せるようになっている。なお上記回収カセット３４の開口部には図２に略示するようにシャッタ４７が設けられており、回収カセット３４の引き出し時にはこのシャッタ４７が閉じられて金庫となるように構成されている。
【００２６】
さらに図２において符号４８は回収カセット３４のロック手段、４９はリジェクトボックス３３へ送入される紙幣の後端をはたき落して良好な集積状態とするための羽根車、５０は回収カセット３４内へ放出される紙幣の先端を羽根間に受け入れて順次下方へ集積させるための羽根車を示し、Ｐは集積された紙幣を示している。
【００２７】
前記第１、第２環流式収納部３５，３６は、本実施形態では上部の第１環流式収納部３５が千円紙幣の１金種用、下部の第２環流式収納部３６が２千円紙幣と５千円紙幣の２金種用とされ、これら環流式収納部３５，３６は紙幣を巻き込んで収納する構造のものが用いられている。なおその構造自体は公知に属するので、その構成については略述する。
【００２８】
第１、第２環流式収納部３５，３６は同じ構成を有するので第１環流式収納部３５について説明すると、機枠５１内に正逆回転自在で周面に紙幣が巻き付けられる単一の回転ドラム５２が軸支され、この回転ドラム５２の周縁に２種のテープ５３，５４が共に巻き付けられ、これらテープ５３，５４の一方のテープ５３は機枠５１の紙幣出入口５５の上部に位置するプーリー５６、中間プーリー５７，５８を経由して巻取軸６２に巻き付けられ、他方のテープ５４は前記紙幣出入口５５の下部に位置するプーリー６０、中間プーリー６１を経由して巻取軸６２に巻き付けられている。
【００２９】
したがって紙幣を収納するときは、回転ドラム５２が正転駆動（図２において矢印イ方向回転）して紙幣出入口５５から送入される紙幣をテープ５３，５４間に挟み込み、回転ドラム５２の周面に順次巻き付けて収納し、紙幣を出金するときは回転ドラム５２が逆転駆動（図２において矢印ロ方向回転）してテープ５３，５４間に挟持されていた紙幣をプーリ５６，６０間から紙幣出入口５５へ送出することができる。
【００３０】
なお下部の第２環流式収納部３６も上記第１環流式収納部３５と同一構成であるからこれと同一符号を付すに留める。
【００３１】
上述した各部の駆動は、機体５内のモータ６３により行われ、第１、第２環流式収納部３５，３６の回転ドラム５２，５２は、収納または繰出し時に図示しないクラッチの離接により前記モータ６３からの回転を受けるようになされている。
【００３２】
またリジェクトボックス３３についてはその専用のキーが設けられており、このキーを開錠しない限り引き出し不能とされている。
【００３３】
前記投出機構３２への入口部、リジェクトボックス３３への入口部、回収カセット３４への入口部、第１、第２環流式収納部３５，３６の出入口部にはそれぞれ紙幣の通過を検知するための検知手段としてのセンサ（フォトセンサ）Ｓ１，Ｓ２，Ｓ３，Ｓ４，Ｓ５が配設されている。
【００３４】
上記の装置を用いて本発明の紙幣の入出金を行わせる制御部６４は、図３にブロック図を示すようにＲＯＭ６５に格納された各種処理プログラムにより各種の処理を行い、各種処理におけるデータ等は第１、第２記憶手段を構成するＲＡＭ６６に記憶するようになされている。
【００３５】
上記ＲＡＭ６６には、各環流式収納部３５，３６に収納された紙幣の金種および収納位置に関する情報が記憶されるようになっており、図４に第２環流式収納部３６の場合を示すように、２千円紙幣は「２」、５千円紙幣は「５」というように数値データが紙幣が収納されるときにＲＡＭ６６の所定エリアに書き込まれ、出金により紙幣が繰出されるときにその紙幣と対応する数値データがクリアされるようになっている。
【００３６】
前記ＲＯＭ６５に格納されている処理プログラムとしては、入金制御に関するプログラムのほかに出金制御に関する各種プログラム、すなわち出金組合せ抽出、繰出し合計枚数算出、出金組合せ選定に関する処理プログラムなどを含んでおり、これらが本発明でいう出金組合せ抽出手段、繰出し合計枚数計数手段、組合せ順位決定手段、出金組合せ選定手段を構成している。またこのＲＯＭ６５には、予め出金に適当するように設定された各金種毎の出金限度枚数データが格納される。なおこれについてはＲＡＭ６６に格納するようにしてもよい。
【００３７】
前記制御部６４の制御内容は、第１、第２環流式収納部３５，３６の駆動手段（クラッチ）６７，６８、回収カセット３４の羽根車５０の駆動手段６９を各部のセンサＳ４，Ｓ５，Ｓ３からの信号により制御するほか、紙幣の繰込み手段（ベルト２０、ローラ２１，２２）、各搬送路に配設されて紙幣の通過を検知する紙幣検知手段７０、搬送手段２３，２６，２９、分岐手段（分岐爪３７，３８，３９，４０）、操作部９、入金識別部２５、出金識別部４１、リジェクトボックス３３への通過検知（センサＳ２）の各制御を行う。
【００３８】
次に本発明の紙幣入出金装置における各処理内容について説明する。
【００３９】
〔入金処理について〕
入金しようとする紙幣を入金口７に一括して投入すれば、紙幣繰込み手段のベルト２０およびローラ２１，２２により紙幣が１枚ずつ繰込まれ、入金識別部２５を通る際にその紙幣の金種、真偽、２枚重なりのチェック等がなされ、その判別結果に基づいてその紙幣が千円紙幣であれば分岐爪４０が切り換って第１環流式収納部３５へ送り込まれ、２千円紙幣または５千円紙幣であれば垂直搬送路２９の末端から第２環流式収納部３６へ送り込まれる。万円紙幣である場合は、分岐爪３９が切り換って回収カセット３４へ送り込まれる。
【００４０】
各環流式収納部３５，３６においては、その回転ドラム５２，５２が正転（図２の矢印イ方向回転）し、テープ５３、５４間に紙幣が挟まれて回転ドラム５２に巻き付けられることにより収納される。
【００４１】
入金の際に各環流式収納部３５，３６が満杯であるときは、各環流式収納部３５，３６に送り込まれたのち繰出されて回収カセット３４へ送られる。また前記入金識別部２５においてリジェクト紙幣と判別された紙幣はリジェクトボックス３３へ送られて収納される。
【００４２】
上記各環流式収納部３５，３６へ収納された紙幣の金種および収納位置はＲＡＭ６６に記憶される。また各環流式収納部３５，３６に収納される紙幣の金種に関しては設定により変更可能である。
【００４３】
〔出金処理について〕
出金する場合は、出金指令に基づいて千円紙幣は第１環流式収納部３５から、２千円または５千円紙幣は第２環流式収納部３６から回転ドラム５２の逆転（図２の矢印ロ方向回転）でそれぞれ所定の枚数が繰出され、垂直搬送路２９を通じて上方へ送られ、分岐爪３７により搬送路が切り換えられて紙幣投出機構３２の受板４２上に送入集積され、送入終了後受板４２が上昇して受板４２上の紙幣の上面がベルト３０の下面に押し付けられ、ベルト３０の回動により出金口８から出金される。
【００４４】
次に本発明による出金態様を図５に示すフローチャートを参照して説明する。
【００４５】
まずＰＯＳレジスタ４から出金金額情報を受けとると、前述のＲＡＭ６６に記憶された各環流式収納部３５，３６に収納されている紙幣の金種および収納位置を参照して、出金組合せ抽出手段により出金金額に対応する出金可能なすべての金種組合せを抽出する（ステップＳ１）。
【００４６】
次いで上記のようにして抽出された各組合せにより出金する場合に各環流式収納部３５，３６から繰出す必要のある紙幣の合計枚数、すなわち繰出し合計枚数を繰出し合計枚数計数手段により算出する（ステップＳ２）。なおこの繰出し合計枚数には、出金該当紙幣以外の紙幣枚数も含まれているが、出金該当紙幣でない紙幣は回収カセット３４へ収納される。
【００４７】
上記のようにして算出された繰出し合計枚数の少ない組合せから順に組合せ順位決定手段により順位を付け、最上位のもの、すなわち繰出し合計枚数の最も少ない組合せから順に各組合せに含まれる紙幣の枚数を金種別にＲＡＭ６６の所定の領域に記憶させる（ステップＳ３）。
【００４８】
ここにおいて、繰出し合計枚数に同じ組合せがある場合には、組合せを構成している紙幣の合計枚数（出金紙幣枚数）の少ない方の組合せを上位とする。またＲＡＭ６６には必要に応じて繰出し合計枚数や組合せで出金する場合に回収カセット３４に収納される紙幣の枚数（回収カセット行きの紙幣枚数）なども記憶するようにしてもよい。
【００４９】
次にＲＡＭ６６に記憶された各組合せに含まれる紙幣の金種別枚数データを前述した順位にしたがって最上位のものから順に読み出す（ステップＳ４）。ここで先ず読み出されるものは最上位のデータのみである。
【００５０】
そしてこの組合せの金種枚数データと予めＲＯＭ６５に記憶させてある各金種毎の出金限度枚数データとを比較し、すべての金種について出金限度枚数以内であるか否かをチェックする（ステップＳ５）。
【００５１】
このステップＳ５において出金限度枚数以内（Ｙｅｓ）であれば出金組合せ選定手段によりこの組合せを出金組合せとし（ステップＳ６）、制御部６４が各部を制御して出金口８から上記組合せによる紙幣を出金する（ステップＳ７）。
【００５２】
また上記ステップＳ５において出金限度枚数以内ではない（Ｎｏ）場合は、抽出されたすべての組合せについてステップＳ５のチェックを行ったか否かをチェックし（ステップＳ８）、すべての組合せについて未だチェックが終っていなければ次の順位の組合せを選択し（ステップＳ９）、ステップＳ４へスキップして前述と同様の処理が行われる。
【００５３】
なお、ステップＳ１で抽出されたすべての組合せについてステップＳ５のチェックを行っても、すべての金種について出金限度枚数以内である組合せがない場合（ステップＳ８のＹｅｓ）、前述したステップＳ３で付された順位の最上位の組合せ（繰出し合計枚数の最も少ない組合せ）を出金組合せとし（ステップＳ１０）、ステップＳ７へスキップする。
【００５４】
次に上記処理内容の具体例について説明する。
【００５５】
出金金額が６千円の場合を例とし、第２環流式収納部３６に図６（ａ）に示すような収納状態で５千円紙幣と２千円紙幣が収納されている場合について説明する。なお第１環流式収納部３５には千円紙幣のみが収納されているので、図には示していない。
【００５６】
まず出金金額に対応する出金可能なすべての金種組合せを抽出すると、図６（ｂ）に示すＡ〜Ｅの５つの組合せが抽出される（ステップＳ１）。
【００５７】
次いで第２環流式収納部３６の収納状態（図６（ａ））を参照して繰出し合計枚数を算出すると、Ａは５枚、Ｂは３枚、Ｃは４枚、Ｄは５枚、Ｅは６枚となる（ステップＳ２）。
【００５８】
上記算出された繰出し合計枚数の少ないものから順位を付けると、Ｂ、Ｃ、Ａ、Ｄ、Ｅの順となり、この順番にＲＡＭ６６に各組合せに含まれる紙幣の金種別枚数が記憶される（ステップＳ３）。
【００５９】
上記の記憶内容のイメージを図６（ｃ）に示しており、ここでは各組合せで出金する場合に回収カセット３４に収納される紙幣（回収カセット行き紙幣枚数）の枚数と繰出し合計枚数とも記憶している状態を示している。
【００６０】
ここでＡとＤは繰出し合計枚数が同じであるが、実際に出金される紙幣の合計枚数はＡが２枚、Ｄが５枚であるのでＡが上位となっている。
【００６１】
次にＲＡＭ６６に記憶されている最上位の組合せＢの金種別枚数データ（千円０枚、２千円３枚、５千円０枚）を読み出し（ステップＳ４）、ＲＯＭ６５に記憶されている各金種毎の出金限度枚数（ここでは５千円は１枚、２千円は４枚、千円は５枚に設定）と比較し、すべての金種について出金限度枚数以内か否かをチェックすると（ステップＳ５）、組合せＢはすべての金種について出金限度枚数以内であるので出金組合せとして選定される（ステップＳ６）。
【００６２】
こうして前述したように制御部６４が各部の動作を制御して出金口８から組合せＣ（２千円紙幣３枚＝計６千円）を出金する（ステップＳ７）。
【００６３】
上記について従来では最小枚数で出金することを前提としていることから組合せＡで出金されることになるため、第２環流式収納部３６に収納されている２千円紙幣３枚（図６（ａ）の左側からの３枚）が回収カセット３４へ収納されてしまうことになるので出金紙幣として使用することができなくなり、無駄な紙幣となってしまうのに対し、本発明によれば回収カセット３４へ回収されてしまう紙幣はなく、無駄な紙幣の発生がなくなるので装置内の紙幣を有効に利用することができる。また繰出し合計枚数は抽出された組合せの中で最小であるから出金に要する時間も短くなり、顧客の待ち時間が短縮され、かつ顧客にとって違和感のない釣銭構成（２千円紙幣３枚）とすることができる。
【００６４】
なお図示の実施形態における第１、第２環流式収納部３５，３６にテープによる巻き込み巻き出し方式のものを用いた場合について例示したが、集積して収納する構成のものであっても実施可能であり、後入れ先出し型、先入れ先出し型のいずれであってもよい。また各機構部の構成についても図示の実施形態に限定される必要はなく、適宜設計変更することは任意である。
【００６５】
【発明の効果】
以上説明したように本発明によれば、環流式収納部を増設することなく新紙幣の発行に対応することができるので、装置の大型化を招くことなしに従来よりも多種類の釣銭紙幣を取り扱うことができる。
【００６６】
また出金時に出金該当紙幣以外の紙幣で回収カセットへ収納される紙幣が少なくてすみ、装置内の紙幣の有効利用を計ることができる。
【００６７】
さらに出金する際に各環流式収納部から繰出される紙幣の枚数（繰出し合計枚数）が少なくなるので、迅速な出金処理を可能とすることができる。
【００６８】
特に出金される紙幣は出金限度枚数以内で行われるので、顧客が嫌うような多数枚の釣銭紙幣が出金されることがなく、顧客の立場を十分に配慮した釣銭構成で出金することができる。
【図面の簡単な説明】
【図１】本発明を実施するに用いる紙幣入出金装置をスーパーマーケット等のレジに組み込んだ場合の一形態を示す外観斜視図。
【図２】同、紙幣入出金装置の内部構成例を示す略示縦断側面図。
【図３】制御ブロック図。
【図４】２金種の紙幣の収納状態例を示す説明図。
【図５】出金処理内容を示すフローチャート。
【図６】（ａ）は図４の２金種の紙幣の収納状態例、（ｂ）は出金組合せおよび繰出し合計枚数、（ｃ）はその内訳を示す説明図。
【図７】従来の紙幣入出金装置を示す略示断面図。
【符号の説明】
１  紙幣入出金装置
４  ＰＯＳレジスタ
６  処理ユニット
７  紙幣入金口
８  紙幣出金口
２５  入金識別部
２６  識別搬送路
２９  垂直搬送路
３２  投出機構
３３  リジェクトボックス
３４  回収カセット
３５  第１環流式収納部
３６  第２環流式収納部
【図１】
0003955430.tif 000002
【図２】
0003955430.tif 000003
【図３】
0003955430.tif 000004
【図４】
0003955430.tif 000005
【図５】
0003955430.tif 000006
【図６】
0003955430.tif 000007
【図７】
0003955430.tif 000008